(57)【要約】【課題】使用者に対して認識性や使い勝手の良い重力補正機能付き秤を提供する。【解決手段】使用者が使用のため、ＯＮ／ＴＡＲＥキー４ａをオンした後、計量可能状態前に、待機マーク“８８８８”と現状の使用地域番号“ｎ６”とを表示部３に交互に数秒間表示する。更に、現状の使用地域番号を変更するための変更操作部５を底面に備える。【選択図】図１
2004325139.tif 000002
【特許請求の範囲】
【請求項１】
作動開始後計量可能状態前に使用地域情報と待機情報とを交互に表示する表示部と、前記表示部で表示する使用地域情報を使用者が変更操作するための変更操作部とを備えたことを特徴とする重力補正機能付き秤。
【請求項２】
前記変更操作部を外装を成すケースの底面に設けたことを特徴とする請求項１記載の重力補正機能付き秤。
【発明の詳細な説明】
【０００１】
【発明の属する技術分野】
本発明は、使用者が現状の使用地域情報（重力補正されている使用地域についての情報）を計量前に自動的に知り得て、この現状の使用地域情報による使用地域が実際の使用地域と異なる場合に、使用者がこの現状の使用地域情報による使用地域を実際の使用地域に適合するように変更することができる重力補正機能付き秤に関する。
【０００２】
【従来の技術】
従来の重力補正機能付き秤には、現状の使用地域情報による使用地域と実際の使用地域とが異なる場合に、使用者がこの現状の使用地域情報による使用地域を実際の使用地域に適合するように変更することができるものがある（例えば、特許文献１、特許文献２参照。）。そして、従来の重力補正機能付き秤は、現状の使用地域情報の変更時や計量可能状態の計量時に、現状の使用地域情報を表示部に表示するものであった。
【０００３】
【特許文献１】
特開２００２−２２８５１７号公報
【特許文献２】
特開２００２−２５０６５４号公報
【０００４】
【発明が解決しようとする課題】
しかしながら、従来の重力補正機能付き秤において、現状の使用地域情報を変更時に表示部に表示するものは、変更状態に設定を使用者が意識的に切替えない限り、現状の使用地域情報を使用者が知り得ることが出来ない。この為、重力補正機能付き秤を遠方に移動して使用する場合（例えば、引越し時）などには、実際の使用地域（例えば、引越し先）に適合するように使用地域情報の変更を忘れてしまって、正確な計量を損なうという問題があった。
【０００５】
また、現状の使用地域情報を計量時に表示部に表示するものは、現状の使用地域情報と計量値と一緒に表示する。この為、使用者は使用目的として得たい結果である計量値の方に偏って着眼し、現状の使用地域情報に対しての着眼度合いが薄れ、実際の使用地域に適合するように使用地域情報を変更しなかったり、計量値と見間違えたりして、正確な計量を損なうという問題があった。
【０００６】
そこで、本発明は、上記のような従来の問題点を解決することを目的とするもので、使用者に対して認識性や使い勝手の良い重力補正機能付き秤を提供することを課題とする。
【０００７】
【課題を解決するための手段】
上記課題を達成するために、本発明の重力補正機能付き秤は、作動開始後計量可能状態前に使用地域情報と待機情報とを交互に表示する表示部と、前記表示部で表示する使用地域情報を使用者が変更操作するための変更操作部とを備えたことを特徴とする。これによると、作動開始後計量可能状態前の時だけにしか使用地域情報を表示部に表示しないので、使用地域情報に対しての着眼度合いの薄れや計量値との見間違えがない。また、待機情報と交互に使用地域情報を表示するので、重力補正されている使用地域情報に対する使用者の着眼度合いが高まる。したがって、使用者に対して認識性や使い勝手の良いものとなる。
【０００８】
また、前記変更操作部を外装を成すケースの底面に設けたことを特徴とする。これによると、通常頻繁に使用することの少ない変更操作部がケースの底面に位置するので、他に比較的頻繁に使用する一般操作部との誤操作の可能性が小さくなる。したがって、使用者に対して使い勝手がより良いものとなる。
【０００９】
【発明の実施の形態】
以下、本発明の実施の形態について図面を用いて説明する。
【００１０】
まず、本発明に係わる重力補正機能付き秤の構成について、その外観を示す図１（ａ）の平面図（上面図）、図１（ｂ）の正面図、図１（ｃ）の底面図と、その構成を示す図２のブロック図と、使用地域番号と都道府県との関係を示す図３の重力補正区分表とを参照しながら詳述する。
【００１１】
本発明の重力補正機能付き秤は、外装を成すケース１（電池ぶた１２を含む）と、計量対象物を積載するための台である載せ台２と、荷重に対する反作用を床（設置面）から受ける脚１１とによって、その主たる外形を構成する。そして、ケース１の手前側上面に表示部３と一般操作部４とを設け、ケース１の底面に変更操作部５と変更操作情報部６とを設け、ケース１の内部に電源７、測定部８、記憶部９及びＣＰＵ１０を設けることで全体を構成する。
【００１２】
表示部３は、待機マーク（スタート後、計量可能状態とするために準備中である旨をお知らせする情報を示すマーク）と現状の使用地域番号（重力補正されている使用地域についての情報）とを交互に表示すると共に、公知の如き計量値その他の結果等を表示する。
【００１３】
一般操作部４は、電源７から電気系各部に電力を供給したり、表示部３に表示する計量値を風袋引きしたりするためのＯＮ／ＴＡＲＥキー４ａと、電源７から電気系各部への電力の供給を遮断するためのＯＦＦキー４ｂとから成る。
【００１４】
変更操作部５は、使用地域の重力加速度に応じて末端の使用者でも操作することにより重力補正を変更可能とする重力補正キー５から成る。
【００１５】
変更操作情報部６は、重力補正キー５から使用者が面倒なく円滑に重力補正の変更操作を助長するために重力補正区分表が記載されたシールから成る。
【００１６】
電源７は、電気系各部への電力の供給源であり、電池ぶた１２の内側に配置している乾電池である。
【００１７】
測定部８は、公知の如き重量センサー、増幅部及びＡ／Ｄ変換部から成り、載せ台２に載せた計量対象物の荷重をデジタル信号化する。
【００１８】
記憶部９は、設定登録している使用地域番号その他のデータを記憶する。
【００１９】
ＣＰＵ１０は、表示部３に対して作動開始後計量可能状態前に使用地域番号と待機マークとを交互に表示するように制御すると共に、測定部８からのデジタル信号に基づく計量値の演算、記憶部９で記憶（登録）する現状の使用地域番号に基づきこの計量値を重力補正をするための演算、その他各部について公知の如き制御及び演算をする。
【００２０】
次に、本発明に係わる重力補正機能付き秤の操作及び動作について、その流れを示す図４のフローチャート図と、その際に表示部に表示する態様を示す図５（ａ）の待機マーク表示図、図５（ｂ）の使用地域番号表示図とを参照しながら詳述する。
【００２１】
まず、ＯＮ／ＴＡＲＥキー４ａをオンすると、電源７において電気系各部に電力を供給する（ステップＳ１）。
【００２２】
続いて、待機マーク（図５（ａ）に示す“８８８８”）と使用地域番号（図５（ａ）に示す“ｎ６”）とを表示部３に交互に数秒間表示する（ステップＳ２）。
【００２３】
続いて、表示部３は、計量可能な状態となる（ステップＳ３）。ここで、この計量可能状態中に、重力補正キー５及びＯＦＦキー４ｂをオンしないと（ステップＳ４でＮＯ及びステップＳ５でＮＯ）、この計量可能な状態を続ける。
【００２４】
続いて、この計量可能状態中に、重力補正キー５をオンすると（ステップＳ４でＹＥＳ）、この計量可能な状態を脱して、現状の使用地域番号を表示部３に表示する（ステップＳ７）。ここで、この現状の使用地域番号を表示中に、ＯＮ／ＴＡＲＥキー４ａ及びＯＦＦキー４ｂをオンしないと（ステップＳ８でＮＯ及びステップＳ９でＮＯ）、この現状の使用地域番号の表示を続ける。
【００２５】
続いて、この現状の使用地域番号を表示中に、ＯＮ／ＴＡＲＥキー４ａをオンすると（ステップＳ８でＹＥＳ）、現状の使用地域番号の表示をインクリメントして別の使用地域番号の表示に変更（切替）する（ステップＳ１０）。なお、以降、変更（切替）した別の使用地域番号を表示中に、ＯＮ／ＴＡＲＥキー４ａをオンをすることにより、更に別の使用地域番号の表示への変更（切替）を同様に行う。
【００２６】
続いて、使用地域番号を表示中に、ＯＦＦキー４ｂをオンすると（ステップＳ９でＹＥＳ）、この表示中の使用地域番号の変更（切替）を、記憶部９に記憶（登録）している現状の使用地域番号に上書きにて記憶（登録）をする（ステップＳ９でＹＥＳ）。
【００２７】
計量可能状態中にＯＦＦキー４ｂをオンしたとき（ステップＳ５でＹＥＳ）及び使用地域番号を表示中にＯＦＦキー４ｂをオンしたとき（ステップＳ９でＹＥＳ）は、電源７において電気系各部への電力を供給を遮断する（ステップＳ１１）。
【００２８】
なお、電気系各部への電力の供給を遮断しているときに重力補正キー５をオンすると（ステップＳ６）、電源７において電気系各部に電力を供給し、表示部３において使用地域番号を表示し（ステップＳ７）、以降、先に述べたステップ８、９、１０と同様に実施可能である。
【００２９】
上述したように、重力補正機能付き秤は、使用者が使用のための操作開始後、計量可能状態前に、待機マークと使用地域番号とを表示部３に交互に数秒間表示する。このため、現状の使用地域番号に対しての着眼度合いの薄れや計量値との見間違えがなく、しかも現状の使用地域番号に対する使用者の着眼度合いが高まる。
【００３０】
また、重力補正機能付き秤は、ケース１の底面に変更操作部５を設けている。比較的頻繁に使用する一般操作部４と異なった面であり、かつ、使用中に壁や計量対象物等の他の部位に接触の可能性の小さい位置に変更操作部５があるので、誤操作の可能性が小さくなる。
【００３１】
なお、上述においては、表示部３に使用地域番号を表示し、ＣＰＵ１０においてこの使用地域番号に基づいて測定部８で測定した計量値を重力補正するのために演算したが、使用地域番号に限らず、電話番号、郵便番号、住所、経緯、高度、都道府県、市町村、重力加速度等の使用地域情報であれば実施可能である。
【００３２】
また、待機マークは“８８８８”としたが、スタート後、計量可能状態とするために準備中である旨をお知らせするための待機情報であれば如何なるマークの態様でもよい。
【００３３】
なお、電源７は、乾電池に限らず、ソーラーバッテリー、ＡＣアダプターその他の電源であっても実施可能である。
【００３４】
【発明の効果】
以上説明したように、本発明の重力補正機能付き秤は、使用者が使用のための操作開始後、計量可能状態前に、待機情報と使用地域情報とを表示部に交互に数秒間表示することにより、現状の使用地域情報に対しての着眼度合いの薄れや計量値との見間違えがなく、しかも現状の使用地域情報に対する使用者の着眼度合いが高まり、使用者に対して認識性や使い勝手の良いものとなり、正確な計量ができる。
【００３５】
また、ケースの底面に変更操作部を設けたことにより、誤操作の可能性が小さくなり、使い勝手が更に良いものとなる。
【図面の簡単な説明】
【図１】重力補正機能付き秤の外観を表し、（ａ）は平面図（上面図）、（ｂ）は正面図、（ｃ）は底面図である。
【図２】重力補正機能付き秤の構成を表すブロック図である。
【図３】使用地域番号と都道府県との関係を表す重力補正区分表である。
【図４】重力補正機能付き秤の操作及び動作の流れを表すフローチャート図である。
【図５】表示部に表示する態様を表し、（ａ）は待機マーク表示図、（ｂ）は使用地域番号表示図である。
【符号の説明】
１  ケース
２  載せ台
３  表示部
４  一般操作部
５  変更操作部（重力補正キー）
６  変更操作情報部
７  電源
８  測定部
９  記憶部
１０  ＣＰＵ
１１  脚
１２  電池ぶた
【図１】
2004325139.tif 000003
【図２】
2004325139.tif 000004
【図３】
2004325139.tif 000005
【図４】
2004325139.tif 000006
【図５】
2004325139.tif 000007